(57)【要約】【課題】簡素な構成で打栓時における中栓注出口からの液体の飛跳ねを防止しうるとともに、オーバーキャップの容器への装着時に移行栓を介しての中栓注出口の閉蓋が、また、オーバーキャップの容器からの離脱時に中栓注出口の開蓋が、それぞれ同時に行える蓋付き容器を提供することにある。【解決手段】容器１口部へ打栓される注出筒１７付きの中栓１０であって、容器へ嵌合されるオーバーキャップ３０への移行が可能な移行栓２０を注出筒１７へ嵌合させ、容器口部へ打栓した前記中栓１０を覆うオーバーキャップ３０を容器へ嵌合させることで、該オーバーキャップ天面３１から垂下する嵌合筒３５を移行栓２０へ嵌合させ、容器からオーバーキャップ３０を離脱させることによる開封時に、移行栓はオーバーキャップへ移行可能に設けた。【選択図】  図１
2010052810.tif 000002
【特許請求の範囲】
【請求項１】
容器１口部へ打栓される注出口付きの中栓１０、１１０であって、
容器へ嵌合される他部材への移行が可能な移行栓２０、１２０を前記注出口１７、１１０へ嵌合させたことを特徴とする容器中栓。
【請求項２】
前記容器口部へ打栓した請求項１記載の前記中栓１０、１１０を覆うオーバーキャップ３０、１３０を容器へ嵌合させることで、該オーバーキャップ天面３１、１３１から垂下する嵌合筒３５、４２、１３４を前記移行栓２０、１２０へ嵌合させ、
前記容器からオーバーキャップ３０、１３０を離脱させることによる開封時に、前記移行栓は前記オーバーキャップへ移行可能に設けた
ことを特徴とする容器蓋。
【請求項３】
内容物充填後の容器へ嵌合させる他部材への移行が可能な移行栓２０、１２０を、容器口部へ打栓させる中栓の注出口へ嵌合させる第１工程と、
該移行栓を嵌合させた中栓１０、１１０を容器口部へ打栓する第２工程と、
該中栓を覆うオーバーキャップ３０、１３０を容器へ嵌合させることで、該オーバーキャップから垂下する嵌合筒３５、４２、１３４が前記移行栓２０、１２０へ嵌合される第３工程とを有する
ことを特徴とする蓋付き容器の製造方法。
【請求項４】
前記移行栓２０は、前記注出口１７内へ離脱可能に嵌合させた有底周壁２１の内周面に第１係合部２２を備えており、
また前記オーバーキャップ３０は、前記嵌合筒３５外周面に第２係合部３６を備えており、
前記オーバーキャップの嵌合筒３５の前記移行栓周壁２１内への嵌合時に前記第２係合部３６が前記第１係合部２２へ嵌合可能に設けた
ことを特徴とする請求項１ないし３のいずれか１つに記載の中栓、容器蓋および蓋付き容器の製造方法。
【請求項５】
前記移行栓２０は、前記注出口内へ離脱可能に嵌合させた有底周壁２１上端に外向きフランジ４０を備えており、
また前記オーバーキャップ３０は、前記嵌合筒４２内周面に第２係合部４３を備えており、
前記オーバーキャップの嵌合筒４２の前記移行栓の外向きフランジ４０への嵌合時に前記第２係合部４３が前記第１係合部４１へ嵌合可能に設けた
ことを特徴とする請求項２又は３記載の容器蓋と蓋付き容器の製造方法。
【請求項６】
前記移行栓１２０は、前記注出口へ離脱可能に嵌合させた有頂周壁１２１下端に、前記注出口の第１嵌合部１１７へ離脱可能に嵌合させた第２嵌合部１２２を備えており、
また前記オーバーキャップ１３０は、前記嵌合筒１３４内周面に第４嵌合部１３５を備えており、
前記オーバーキャップ１３０の嵌合筒１３４が前記移行栓周壁１２１へ嵌合する時に、前記第４嵌合部１３５が前記移行栓周壁１２１の第３嵌合部１２３へ嵌合可能に設けた
ことを特徴とする請求項２又は３記載の容器蓋と蓋付き容器の製造方法。
【請求項７】
前記オーバーキャップが容器から離脱するとともに、前記移行栓は前記中栓注出口から離脱してオーバーキャップへ移行可能であることを特徴とする請求項３、４、５又は６記載の容器蓋と蓋付き容器の製造方法。
【発明の詳細な説明】
【技術分野】
【０００１】
本発明は、容器中栓、容器蓋と蓋付き容器の製造方法に関する。
【背景技術】
【０００２】
中栓は通常容器体の口頸部へ打栓によって嵌合されるが、打栓時に、容器体内へ充填された液体が飛び跳ねて中栓の注出口から飛び出るため、これを防止すべく打栓前に注出口を閉塞することが行われている。閉塞の手段としては、例えば、図３に示すように、容器体２００の口頸部２０１へ中栓２０２を打栓する前に、中栓の注出筒２０３へ内キャップ２０４を螺合させておき、出荷時にオーバーキャップ２０５を容器体２００へ嵌合させたもの、あるいは容器体口頸部内へ嵌合させた中栓の周壁下端を押圧破断可能な閉塞板で閉塞するものが知られている(特許文献１)。
【特許文献１】特開２００６−３０６４１４号公報
【発明の開示】
【発明が解決しようとする課題】
【０００３】
しかしながら中栓の注出筒２０３へ内キャップ２０４を螺合させる前者では、容器内へ充填された液体を注出させる際に、まず容器体口頸部からオーバーキャップ２０５を取り外した後、中栓から内キャップ２０４を取り外す必要があり、また注出が終わると内キャップを閉蓋した後、オーバーキャップを閉蓋する必要があり、このように液体の注出時および注出終了時にオーバーキャップ２０５と内キャップ２０４との両方を開蓋ないし閉蓋する必要があり、したがって液体の注出が面倒なものとなっていた。また、特許文献１記載の発明では、容器体口頸部外面へ螺合させたキャップの注出筒下端を閉塞板の破断手段として用い、開封時に、キャップを下降させて注出筒下端で閉塞板を押圧破断するようにしているため、開封後の通常使用時にキャップ注出筒を閉蓋するためのヒンジ付き蓋が必要となり、したがって構成が複雑化する傾向があった。
【０００４】
本発明の目的は、簡素な構成で打栓時における中栓注出口からの液体の飛跳ねを防止しうるとともに、オーバーキャップの装着時に中栓注出口の閉蓋が、また、オーバーキャップの離脱時に中栓注出口の開蓋が、それぞれ同時に行える容器中栓、容器蓋と蓋付き容器の製造方法を提供することにある。
【課題を解決するための手段】
【０００５】
本発明は、容器１口部へ打栓される注出口付きの中栓１０、１１０であって、
容器へ嵌合される他部材への移行が可能な移行栓２０、１２０を前記注出口１７、１１０へ嵌合させたことを特徴とする。
【０００６】
また、本発明は、前記容器口部へ打栓した請求項１記載の前記中栓１０、１１０を覆うオーバーキャップ３０、１３０を容器へ嵌合させることで、該オーバーキャップ天面３１、１３１から垂下する嵌合筒３５、４２、１３４を前記移行栓２０、１２０へ嵌合させ、
前記容器からオーバーキャップ３０、１３０を離脱させることによる開封時に、前記移行栓は前記オーバーキャップへ移行可能に設けたことを特徴とする。
【０００７】
さらに、本発明は、内容物充填後の容器へ嵌合させる他部材への移行が可能な移行栓２０、１２０を、容器口部へ打栓させる中栓の注出口へ嵌合させる第１工程と、
該移行栓を嵌合させた中栓１０、１１０を容器口部へ打栓する第２工程と、
該中栓を覆うオーバーキャップ３０、１３０を容器へ嵌合させることで、該オーバーキャップから垂下する嵌合筒３５、４２、１３４が前記移行栓２０、１２０へ嵌合される第３工程とを有することを特徴とする。
【０００８】
さらに、本発明は、前記移行栓２０は、前記注出口１７内へ離脱可能に嵌合させた有底周壁２１の内周面に第１係合部２２を備えており、
また前記オーバーキャップ３０は、前記嵌合筒３５外周面に第２係合部３６を備えており、
前記オーバーキャップの嵌合筒３５の前記移行栓周壁２１内への嵌合時に前記第２係合部３６が前記第１係合部２２へ嵌合可能に設けたことを特徴とする。
【０００９】
さらに、本発明は、前記移行栓２０は、前記注出口内へ離脱可能に嵌合させた有底周壁２１上端に外向きフランジ４０を備えており、
また前記オーバーキャップ３０は、前記嵌合筒４２内周面に第２係合部４３を備えており、
前記オーバーキャップの嵌合筒４２の前記移行栓の外向きフランジ４０への嵌合時に前記第２係合部４３が前記第１係合部４１へ嵌合可能に設けたことを特徴とする。
【００１０】
さらに、本発明は、前記移行栓１２０は、前記注出口へ離脱可能に嵌合させた有頂周壁１２１下端に、前記注出口の第１嵌合部１１７へ離脱可能に嵌合させた第２嵌合部１２２を備えており、
また前記オーバーキャップ１３０は、前記嵌合筒１３４内周面に第４嵌合部１３５を備えており、
前記オーバーキャップ１３０の嵌合筒１３４が前記移行栓周壁１２１へ嵌合する時に、前記第４嵌合部１３５が前記移行栓周壁１２１の第３嵌合部１２３へ嵌合可能に設けたことを特徴とする。
【００１１】
さらに、本発明は、前記オーバーキャップが容器から離脱するとともに、前記移行栓は前記中栓注出口から離脱してオーバーキャップへ移行可能であることを特徴とする。
【発明の効果】
【００１２】
本発明は、注出口を閉塞させた状態で中栓を容器口部へ打栓するので、打栓時に、容器内に充填された液体が中栓注出口から飛び跳ねることがない。
【００１３】
また、本発明は、オーバーキャップ等の他部材へ移行可能な移行栓で中栓の注出口を閉塞するため、開封時はもちろんのこと開封後においても、オーバーキャップ等を容器から離脱させることで同時に中栓注出口を開蓋でき、またオーバーキャップ等を容器へ装着させることで同時に中栓注出口を閉蓋でき、したがって注出時の容器の開蓋と注出終了時の容器の閉蓋とをそれぞれ一回の操作で行うことができる。
【００１４】
さらに、本発明は、中栓の注出口へ移行栓を嵌合させるだけで打栓時における液体の跳ね出しを防止できるとともに、開封時に、液体飛び出し防止用としての移行栓をオーバーキャップ等の他部材へ移行させて通常使用時における中栓注出口の栓として使用することができるため、構成を簡素にすることができる。
【発明を実施するための最良の形態】
【００１５】
以下、本発明を、図面に示す実施の形態を参照しながら説明する。
１は容器で、胴部２の上部外面に第１突条３が周設されている。また胴部２上端から肩部４を介して口頸部５が起立している。口頸部５外面に第２突条６が周設されており、第２突条６よりも上方の口頸部部分外面に第３突条７が周設されている。
【００１６】
１０は中栓で、第２突条６よりも上方の口頸部５部分外面へ嵌合させた外筒１１下端内面には段部１２が周設されており、段部１２は第３突条７下面へ嵌合している。
【００１７】
外筒１１上端には第１内向きフランジ１３が付設されており、第１内向きフランジ１３内周には内筒１４が貫設されている。内筒１４下部は口頸部５上部内面へ当接されており、また内筒１４上部外面には雄ネジ１５が形成されている。
【００１８】
内筒１４上端から第２内向きフランジ１６を介して注出口を構成する注出筒１７が起立している。このようにして構成された中栓１０は打栓により口頸部５へ嵌合される。その際、段部１２は第３突条７を強制乗越えしてその下面へ嵌合する。
【００１９】
２０は移行栓で、注出筒１７の上部内面へ嵌合させた有底周壁２１上端に、注出筒１７上面へ載置させて外向きフランジ２３を付設している。周壁２１内周面には第１係合部２２を構成する凹部からなる溝が周設されている。また周壁２１上部外面は大外径部に形成され、大外径部が注出筒１７上部内面へ密着している。
【００２０】
３０はオーバーキャップで、天面３１の周縁部から高さが異なる内外二重筒３２、３３を垂下して、外筒３３下端を第１突条３へ載置させるとともに、内筒３２内面に形成された雌ネジ３４を雄ネジ１５へ螺合させている。
【００２１】
天面３１中央部から移行栓周壁２１内へ嵌合させて下面開口の嵌合筒３５が垂下されている。嵌合筒３５外周面には第１係合部２２と係合する凸部から構成される第２係合部３６が周設されている。
【００２２】
次に作用について説明する。
容器１へ打栓する前に、中栓１０の注出筒１７へ移行栓２０を嵌合させて容器中栓を形成する。こうして得られた容器中栓を液体が充填された容器の口頸部５へ打栓する。
【００２３】
中栓の注出筒１７は移行栓２０により閉塞されているから、打栓時に容器が振動して容器内の液体が跳ね上がっても注出筒１７の注出口から飛び出ることがない。打栓後、オーバーキャップ３０を容器へ嵌合させる。
【００２４】
その際、天面３１から垂下する嵌合筒３５が移行栓２０内へ嵌合されると同時に、第２係合部３６が第１係合部２２へ係合する。このようにして容器へオーバーキャップ３０を嵌合させた状態で出荷する。
【００２５】
開封するには、オーバーキャップ３０の内筒の雌ネジ３４を中栓の雄ネジ１５から上方へ螺脱させるべくオーバーキャップを回動させればよく、するとオーバーキャップの嵌合筒３５と移行栓の周壁２１とは第１、第２係合部２３、３６を介して連結されているため、移行栓２０は注出筒１７から上方へ離脱してオーバーキャップ３０へ移行する。
【００２６】
すなわち移行栓２０は中栓１０から離脱してオーバーキャップ３０と一体的に連結される。このように移行栓２０が中栓の注出筒１７から離脱してオーバーキャップ３０へ移行するのは、移行栓２０と中栓の注出筒１７との嵌合力よりもオーバーキャップ３０と移行栓２０との第１、第２係合部２２、３６を介しての係合力の方が強いからである。
【００２７】
容器内の液体を注出した後、容器を閉蓋するには、オーバーキャップ３０を容器へ嵌合させればよく、するとオーバーキャップと一体的に連結された移行栓２０が注出筒１７内へ嵌合されることで中栓の注出筒１７が閉塞される。すなわち移行栓２０は打栓時の液体の跳ね出し防止用の閉塞部材としての役割とともに、中栓の注出筒の不使用時における閉塞栓としての役割を兼用する。
【００２８】
図２は第２の実施形態を示す。第１実施形態ではオーバーキャップ３０の嵌合筒４２が移行栓の周壁２１内へ嵌合されているが、本実施形態ではオーバーキャップ３０の嵌合筒が移行栓２０の外向きフランジ４０の外周面へ嵌合されている点で相違する。
【００２９】
すなわち、移行栓２０の外向きフランジ４０の外周面には第１係合部４１としての係合突部が周設されており、他方、オーバーキャップの嵌合筒４２下部内面には第２係合部４３としての係合突部が周設されていて、オーバーキャップの係合突部が移行栓の係合突部下面へ係合している。
【００３０】
かかる構成であるから、開封のために、オーバーキャップ３０を回動させると、第１実施形態と同様に移行栓２０が中栓の注出筒１７から抜出してオーバーキャップ３０へ移行する。その他の構成は第１実施形態と同一であるから、説明を省略する。
【００３１】
図３は第３の実施形態を示す。１０１は容器で、胴部１０２の上端部外面には上向き段部１０３を介して雄ネジ部１０４が形成されている。雄ネジ部１０４の上端には肩部１０５を介して口頸部１０６が起立している。口頸部１０６外面には第１突条１０７が周設されており、また口頸部１０６上端部外面には第２突条１０８が周設されている。
【００３２】
１１０は中栓で、第２突条１０８へ嵌合させた外筒１１１下端内面には嵌合部１１２が周設されており、嵌合部１１２は第２突条１０８下面へ当接している。
【００３３】
外筒１１１上端には内向きフランジ１１３が付設されており、内向きフランジ１１３の内外中間部から垂下する内筒１１４が口頸部１０６上端部内面へ嵌合されており、また内向きフランジ１１３内周から注出口を構成する注出筒１１５が起立している。注出筒１１５上部の中間部は縮径されて縮径部１１６に形成されており、縮径部１１６よりも下方の注出筒１１５部分外面に第１嵌合部１１７が周設されている。
【００３４】
１２０は移行栓で、注出筒１１５の上部外面へ嵌合させた有頂周壁１２１下端内面に第２嵌合部１２２が周設されており、第２嵌合部１２２は第１嵌合部１１７下面へ係合されている。また周壁１２１上部外面には第３嵌合部１２３が周設されている。
【００３５】
１３０はオーバーキャップで、天面１３１の周縁部から外周壁１３２を垂下して、外周壁１３２の下端部内面に形成された雌ネジ部１３３を雄ネジ部１０４へ螺合させている。また天面１３１の中央部から嵌合筒１３４が移行栓１２０の周壁１２１外面へ嵌合されている。嵌合筒１３４の下端部内面には第４嵌合部１３５が周設されていて、第４嵌合部１３５は第３嵌合部１２３下面へ係合されている。
【００３６】
かかる構成であるから、開封のために、オーバーキャップ１３０を回動させると、オーバーキャップ１３０の嵌合筒１３４と移行栓１２０との嵌合力の方が移行栓１２０と注出筒１１５との嵌合力よりも大であるから、第１実施形態と同様に移行栓１２０が中栓の注出筒１１５から抜出してオーバーキャップ１３０へ移行する。
【００３７】
次に、上記構成からなる容器の製造方法について説明する。
まず、内容物が充填された容器の口頸部５へ中栓１０を打栓する前に、中栓の注出筒１７へ移行栓２０を嵌合させる(第１工程)。続いて、移行栓２０を嵌合させた中栓１０を容器の口頸部５へ打栓する(第２工程)。次いで、オーバーキャップ３０を容器へ嵌合させることで、オーバーキャップから垂下する嵌合筒３５(４２)を移行栓２０へ嵌合させる(第３工程)。
【図面の簡単な説明】
【００３８】
【図１】本発明に係る蓋付き容器の半断面図である。
【図２】第２実施形態を示す図１相当図である。
【図３】第３実施形態を示す要部断面図である。
【図４】(１)従来の栓付き中栓の半断面図である。          (２)図３(１)の中栓を容器に装着した状態を示す半断面図である。
【符号の説明】
【００３９】
１  容器
５  口頸部
１０  中栓
１７  注出筒
２０  移行栓
２１  周壁
２２、４１  第１係合部
３０  オーバーキャップ
３１  天面
３５、４２  嵌合筒
３６、４３  第２係合部
【図１】
2010052810.tif 000003
【図２】
2010052810.tif 000004
【図３】
2010052810.tif 000005
【図４】
2010052810.tif 000006